(57)【特許請求の範囲】
【請求項１】
左右側面部と、背面部と、扉を備えた前面部と、上面部とから構成されるボックスとこのボックスの内部に設けられた便器と便槽とを有する移動式仮設トイレにおいて、前記前面部は前記扉の上部に鴨居が設けられておらず、前記前面部上部と前記左右側面部上部と前記背面部上部によって形成される第１の框とこの第１の框に対応して上面部によって形成される第２の框との間にこれらの框を架橋する伸縮機構を備え、前記第２の框から垂設され前記伸縮機構によって伸縮開閉する蛇腹状のルーフ部を備え、このルーフ部のうち前記扉上部に垂下するルーフ部は暖簾状に切込みが形成されていることを特徴とする移動式仮設トイレ。
【請求項２】
前記第１の框に一の端部を前記第２の框に他の端部を接続されるロープ状の接続部と前記第１の框と第２の框を解除可能に係止する係止部とを備えるルーフ部開閉装置を有することを特徴とする請求項１に記載の移動式仮設トイレ。
【発明の詳細な説明】
【技術分野】
【０００１】
本発明は、工事現場、建設現場、イベント会場や屋外レジャー施設等の屋外で使用する移動式仮設トイレに関する。
【背景技術】
【０００２】
一般に、建設現場、イベント会場や屋外レジャー施設等は周囲に建物が少ない場所であり公園等に設けられている屋外トイレもないため、工事作業員や会場等の利用者は随時トイレを利用することができない。また、道路、電気、ガス、上下水道等の工事は周りに店舗や建物がある場所で行われることが多いものの、工事による交通の妨げを避けるために店舗等が閉まった夜間に作業が行われるため工事作業員は作業中にトイレを使用することができないことが多く、たとえ利用可能な時間であっても作業員が店舗等に迷惑をかけずに気軽に利用できる場合は限られている。
このため、従来では電話ボックス式の可搬式トイレをトラックの荷台に積んで現場まで運搬し、トラックの荷台から下ろして現場近くにこれを仮設して使用していた。
しかしながら、電話ボックス式の可搬式トイレは重量が重く現場近くに仮設する際にはクレーン等を用いて積み下ろししなければならない。また、この可搬式トイレを別の場所に設置する場合には再びクレーン等を用いてトラックの荷台に載置しなければならず設置作業及び運搬作業に手間が生じるという課題があった。
さらに、電話ボックス式の可搬式トイレは縦長であるためトラックで運搬する際には安定性の面から横に倒して載置運搬していたが、このような運搬方法では便器内の汚物や給水タンク内の水が可搬式トイレ内に散乱したり悪臭を放つ可能性があり衛生上好ましくないという課題があった。これにより、清掃の手間も生じるためメンテナンスに時間や費用がかかるという課題があった。
【０００３】
このような課題に対処するため、いくつかの発明及び考案が開示されている。
例えば、特許文献１には、「移動式仮設トイレ」という名称で、機動性に優れ運搬コストがかからない移動式仮設トイレに関する発明が開示されている。
【０００４】
以下、特許文献１を引用しながら、特許文献１に開示された技術について説明する。
特許文献１に開示された移動式仮設トイレは、側面に扉が取り付けられた高さを変えることのできる部屋と、これを搭載し車道を走行できる車輪と牽引アームとを備えた台車とから構成され、部屋の中間位置より上部あるいは全体を可撓性シートで形成した伸縮自在なテント部としたものである。また、部屋の高さを高くした場合の可撓性シート、つまり、テント部の形状保持は、可撓性シートの四隅に設けられる棒状の骨材とこの骨材から部屋の中間位置に向けて斜めに架橋しているヒンジアームによって行われている。さらに、部屋の扉に連設されるテント部の扉はファスナー等によって開閉可能な構造となっている。
このような構造により、移動式仮設トイレを運搬する際には部屋の伸縮部分を部屋内に収納して運ぶことで仮設トイレのコンパクト化を向上させることができるとともに、車道走行中に受ける風圧を少なくして運搬中に移動式仮設トイレが転倒するのを防止することができる。もって、走行中の安全性を向上させることができる。加えて、従来の電話ボックス式の仮設トイレに比べて重量が軽く、しかも、仮設トイレである部屋は移動可能な台車に搭載されているため、運搬作業が容易であるという効果がある。また、移動式仮設トイレを使用する場合には台車を任意の場所に留めて部屋内に収納されているテント部を起こして部屋の高さを高くするという容易な作業で仮設トイレを設置することで使用できる。なお、トイレの便槽は部屋と台車との間に設けられている。
【０００５】
また、特許文献２には、「トイレットカー」という名称で、小型の系貨物自動車の貨物室に便器、手洗器、水洗タンク及び換気扇等を設けたトイレユニットを設けたトイレットカーに関する発明が開示されている。
【０００６】
以下、図８（ａ）を参照しながら、特許文献２に開示された技術について説明する。図８（ａ）は従来技術に係るトイレットカーの概念図である。
図８（ａ）に示すように、特許文献１のトイレットカーは軽貨物自動車２７の運転者室３４の後部に設けられた貨物室２８内に便器３９、手洗器４０、ハイタンク式給水タンク４２、カウンター３６及び収納室３７等からなる水洗式のトイレットが収納されたものである。また、貨物室２８の屋根は一部を開口してこの開口部に冠装する昇降屋根３２が備えられており開口部と昇降屋根３２との間を防水性幕布３１で連繋した構造となっている。加えて、防水性幕布３１はリンク機構３３によって伸縮自在に設けられている。図８（ａ）中では逆Ｌ字形かまち３０が開口部に相当し、符号２９は固定屋根である。
このような構造により、トイレットを使用しない軽貨物自動車２７走行時には昇降屋根３２を下ろした状態、すなわち、昇降屋根３２と固定屋根２９が略同一面を形成する状態にして走行することが可能であるため、自動車の規制高さを保持した状態で走行することができる。また、工事現場等でトイレを使用する場合には軽貨物自動車２７を所望の場所に停車し昇降屋根３２を上部へ上げて貨物室２８内のトイレットを使用する。通常の昇降屋根３２を下げた状態では昇降屋根３２が固定屋根２９と同じ高さであるため、貨物室２８内のトイレットを使用しようとすると貨物室２８内を前傾姿勢で移動しなければならず不具合が生じるが、昇降屋根３２を上方へ上昇させることによって貨物室２８内の天井の高さを高くすることができ楽な姿勢でトイレットを使用することができる。
加えて、軽貨物自動車２７自体にトイレが備え付けられた構造であるため、従来の電話ボックス式の仮設トイレのような積み下ろし作業を行う必要性がないとともに、積み下ろしによる仮設トイレの破損を生じる可能性も削減されるという効果もある。符号３８，４１，４３は壁面、水洗配管及び換気扇である。
【０００７】
特許文献３には、「現場サポートカー」という名称で、特許文献２のトイレットカーの後部にさらに工事用電光標示板を設けた現場サポートカーに関する発明が開示されている。
【０００８】
以下、図８（ｂ）を参照しながら、特許文献３に開示された技術について説明する。図８（ｂ）は従来技術に係る現場サポートカーの概念図である。
図８（ｂ）に示す現場サポートカー４４は図８（ａ）に示す特許文献２のトイレットカーと同様に運転席後部の貨物室内に簡易トイレを設け、かつ、貨物室の屋根の一部が伸縮及び開閉可能なポップアップルーフ部４５を備えたものであり、貨物室の後部にさらに標示板収納部５２及び工事用電光標示板５３ａ，５３ｂを設けたものである。図８（ｂ）において荷室部５０、カバー４７、ルーフ部５０ａ及びガスダンパー４９は図８（ａ）中の貨物室２８、防水性幕布３１、固定屋根２９及びリンク機構３３に相当する。また、ポップアップルーフ部４５の開閉は特許文献２のトイレットカーと同様に手動で行われ、貨物室２８内の簡易トイレを使用しない場合あるいは現場サポートカー４４を走行させる場合には把手４６を手で下方に引き下げてポップアップルーフ部４５を閉じロック金物４８で昇降屋根３２を固定屋根２９と同平面に固定する。反対に荷室部５０内の簡易トイレを使用する場合には把手４６を手動で方に押し上げることによってカバー４７を広げて使用する。これにより、特許文献２と同様に走行中の車の規制高さの保持することができるとともに、不具合を生じることなく簡易トイレを使用することができるという効果がある。
加えて、現場サポートカー４４の荷室部５０の背面部５０ｃには標示板単体５４ａ，５４ｂを介して左右の工事用電光標示板５３ａ，５３ｂが設けられており、標示板単体５４ａ，５４ｂは蝶番５５ａ，５５ｂを軸に回動可能な構造となっている。このため、荷室部５０内のトイレを使用する場合あるいは現場で工事を行う際に現場サポートカー４４を路上に駐車する場合には、左右の工事用電光標示板５３ａ，５３ｂを背面部５０ｃに表示して周囲の交通の妨げを最小限にとどめることができるという効果がある。また、トイレを使用しない場合や工事用電光標示板５３ａ，５３ｂを使用しない場合には蝶番５５ａ，５５ｂを軸として標示板単体５４ａ，５４ｂを回動させ標示板単体５４ａ，５４ｂ上の工事用電光標示板５３ａ，５３ｂを標示板収納部５２内に収納することもできる。符号５０ｂは荷室部５０の側面部であり、扉５１が設けられている。
【０００９】
さらに、特許文献４には、「自動車用伸縮ボディ」という名称で、上部及び下部が開口した内箱部とこれを蓋う外箱部からなる上下方向に伸縮可能な自動車用伸縮ボディに関する発明が開示されている。
【００１０】
以下、特許文献４に開示された技術について特許文献４を引用しながら説明する。
特許文献４の自動車用伸縮ボディは上下方向への長さを可変することのできるコンテナ状のボディであり、内箱部と、これに覆設する外箱部と、これらを連結する連結部と、内箱部に対して外箱部を上下方向に移動させる駆動部から構成されている。また、このような自動車用伸縮ボディの内部には、簡易トイレ等が収容されており、この内箱部と外箱部に連設されたドアが設けられている。このため、自動車停車時には油圧を利用した駆動部により外箱部を上方へ移動させることによって自動車用伸縮ボディの高さを高くして様々な用途の仮設施設として使用することができる。例えば、簡易トイレ、シャワー室や更衣室等の簡易施設、たこ焼きやお好み焼き等の調理販売車及び移動販売車、移動図書館、キャンピングカー、放送中継車や医療検診車などとして利用することが可能である。加えて、走行時には外箱部を再び下方へと移動させて内箱部に重ね特許文献２及び特許文献３と同様に規制高さに不具合を生じない高さにすることができる。
【００１１】
【特許文献１】特開２００１−１９８０４８号公報
【特許文献２】実開平１−１５８３５１号公報
【特許文献３】実開平７−１３６０７号公報
【特許文献４】特開平１０−２５０４５７号公報
【発明の開示】
【発明が解決しようとする課題】
【００１２】
しかしながら、上述の従来の技術においては、例えば特許文献１に開示された発明においては、移動式仮設トイレを載置した車の走行時の安全性を向上させるとともに仮設トイレである部屋の下に台車を取付けて仮設トイレの稼動性を高めているものの、台車の上に仮設トイレを設けた構造であるため不安定でありトイレを使用する際にトイレ利用者に不安感を生じさせるという課題があった。また、コンパクト化され稼動性に優れた構造であるものの、トイレ、便槽及び台車等の総重量は決して軽くはなく仮設トイレの移動作業及びトラック等への積み下ろし積み上げ作業に労力を要するという課題があった。
【００１３】
また、特許文献２に開示された発明においては、トイレットカー走行時には規制高さを保持して走行することができ、かつ、トイレットカーのトイレ使用時には貨物室部の屋根の一部を上昇させることによって貨物室部内の空間を広くしトイレ利用者の身長に支障をきたすことなくトイレを利用することができるものの、屋根の一部を開口した構造であるためトイレ利用者が貨物室部内に入室する際に入口の扉上部の鴨居が頭部に対して障害となりトイレ利用時に不具合が生じるという課題があった。
【００１４】
特許文献３に開示された発明においては、特許文献２と同様の効果に加えて必要に応じて現場サポートカー後部に工事用電光標示板を掲示することができ周囲の交通を妨害しないという効果を有するものの、特許文献２と同様の課題があった。
【００１５】
また、特許文献４に開示された発明においては、自動車用伸縮ボディを載置した自動車の走行時には外箱部を内箱部に重ねることができ走行の妨げや規制高さの違反を防ぐことができ、しかも、自動車停車時には外箱部を上方へと上昇させて自動車用伸縮ボディの高さを高くし利用者が不具合を感じることなく様々な用途に使用することができるものの、自動車用伸縮ボディの伸縮機構の駆動機構は複雑でありコストがかかるという課題があった。
【００１６】
本発明はかかる従来の事情に対処してなされたものであり、運搬車からの積み上げ及び積み下ろし作業を行う必要がなく、運搬車走行中には規制高さを保持できトイレ利用時には利用者が不具合を生じることなく使用できる移動式仮設トイレを提供することを目的とする。
【課題を解決するための手段】
【００１７】
上記目的を達成するため、請求項１記載の発明である移動式仮設トイレは、左右側面部と、背面部と、扉を備えた前面部と、上面部とから構成されるボックスとこのボックスの内部に設けられた便器と便槽とを有する移動式仮設トイレにおいて、前面部は扉の上部に鴨居が設けられておらず、前面部上部と左右側面部上部と背面部上部によって形成される第１の框とこの第１の框に対応して上面部によって形成される第２の框との間にこれらの框を架橋する伸縮機構を備え、第２の框から垂設され伸縮機構によって伸縮開閉する蛇腹状のルーフ部を備え、このルーフ部のうち扉上部に垂下するルーフ部は暖簾状に切込みが形成されているものである。
上記構成の移動式仮設トイレにおいては、上面部がルーフ部によって伸縮開閉可能な構造とすることで移動式仮設トイレ利用時には伸縮機構を用いて上面部を開き移動式仮設トイレの高さを高くするという作用を有するとともに、移動式仮設トイレを使用しない場合あるいは移動式仮設トイレ運搬時には上面部を閉じて移動式仮設トイレの高さを低くしてコンパクト化するという作用を有する。また、移動式仮設トイレ前面部の扉上部に鴨居を設けずルーフ部のうちの扉上部に垂下するルーフ部を暖簾状に切込みを形成した構造とすることで移動式仮設トイレの高さが高くなると同時に扉の開閉空間の高さも高くなるという作用を有する。第１の框と第２の框との間にルーフ部を設けることによっては雨天時の移動式仮設トイレ内への雨の降り込みを防止するという作用を有する。
さらには、移動式仮設トイレは左右側面部、背面部及び前面部のうちいずれかをボルトやナット等の固定具で運搬車に固定することによって運搬車の荷台に載置されるものであるため、運搬車走行時や移動式仮設トイレ使用時の移動式仮設トイレの安定性を保つという作用を有する。加えて、特許文献２乃至特許文献４のように運搬車自体を改造する必要性がないという作用を有する。
【００１８】
また、請求項２に記載の発明である移動式仮設トイレは、請求項１に記載の移動式仮設トイレにおいて、第１の框に一の端部を第２の框に他の端部を接続されるロープ状の接続部と第１の框と第２の框を解除可能に係止する係止部とを備えるルーフ部開閉装置を有するものである。
上記構成の移動式仮設トイレにおいては、係止部のロックを解除することによって上面部を開きロープ状の接続部を手繰り寄せることによって上面部を閉じるという作用を有する。また、ロープ状の接続部を手繰り寄せる長さを調節することによって上面部の開閉角度を調節可能とするという作用を有する。
【発明の効果】
【００１９】
本発明の請求項１に記載の移動式仮設トイレにおいては、トイレ利用者が障害物を避けるために頭を下げたり前傾姿勢をとることなく移動式仮設トイレ内に入室し楽な姿勢で安心してトイレを使用することができるとともに、移動式仮設トイレの運搬車の走行時には上面部を閉じて走行することで走行中の規制高さを守ることができる。また、本発明の移動式仮設トイレは備え付けの構造ではなく取外しが可能な構造であるため、運搬車の荷台に固定して使用することができ運搬車を改造する必要がない。よって、移動式仮設トイレの積み上げ積み下ろし作業を行う必要がないという効果を有するとともに、製造コストを抑えることができる。
【００２０】
また、本発明の請求項２に記載の移動式仮設トイレにおいては、手動による係止部のロックの係止あるいは解除操作とロープ状の接続部の長さ調節操作という簡単な操作で上面部の伸縮開閉作業を行うことができる。
【発明を実施するための最良の形態】
【００２１】
利用者が不具合を生じることなく利用できる移動式の仮設トイレを提供するという目的を、運搬作業に支障をきたすことなく実現した。以下に、発明を実施するための最良の形態に係る実施例を説明する。
【実施例】
【００２２】
以下に、本発明の最良の実施の形態に係る移動式仮設トイレの実施例を図１乃至図７に基づき説明する。
【００２３】
図１は、本発明の実施の形態に係る移動式仮設トイレの概念図である。
図１に示す移動式仮設トイレ１はパネル１ａによって構成される左側面部と、図示されない右側面部と、パネル１ｂによって構成される前面部と、図示されない背面部と、パネル１ｃによって構成される上面部とからなるボックス式の仮設トイレであり、トラック１１等の荷台に載置固定して運搬あるいは利用するものである。
符号４ａ，４ｂは、移動式仮設トイレ１をトラック１１に固定するためのつまみナット、符号５ａ，５ｂはＬ字型金具、符号１２ａ，１２ｂはボルトである。また、左側面部のパネル１ａ、右側面部、前面部のパネル１ｂ及び背面部それぞれの上部によって形成される框（以下、第１の框と呼ぶ。）と、上面部のパネル１ｃの框（以下、第２の框と呼ぶ。）との間にはパネル１ｃの開閉のための伸縮機構が備えられており、また、第２の框には、可撓性の防水シートで形成された蛇腹状のルーフ２が設けられており、このルーフ２の伸縮も先の伸縮機構による。
さらには、第１及び第２の框の縁部にはロープ係止部材９ａ，９ｂが具備されておりこれらはロープ１０に繋がれているとともに、第２の框縁部に備えられているフック係止部材８がパネル１ｂ壁面に取付けられているフック６によって係止される構造となっている。符号７はレバーであり、レバー７を下方に引っ張るとフック６がパネル１ｂ壁面側に倒れてフック６によって係止されロックがかかり、レバー７を上方へ押し上げるとフック６が図１に示す状態となりロックが解除される仕組みである。
【００２４】
したがって、パネル１ｃはフック６とフック係止部材８による係止機構の解除操作後、伸縮機構による付勢を得て開閉操作を行うことができるとともに、その開閉の角度はロープ１０の長さ調節によって調整することが可能である。また、このようなパネル１ｃを開くことによれば移動式仮設トイレ１内の天井の高さを高くすることができる。
パネル１ｃが閉じている場合の移動式仮設トイレ１の高さはトラック１１の走行中の規制高さを超えない高さでありトイレ使用者が起立している状態よりも低い高さであるが、パネル１ｃを開くことによってトイレ使用者が立った状態でも楽に移動式仮設トイレ１内を移動できるようになる。
加えて、特許文献２や特許文献３の発明においてはトイレ利用者が貨物室等に入室するための扉の上に鴨居がある構造であったが、図１に示すとおり本発明の移動式仮設トイレ１のドア３の上部には鴨居がない構造であり代わりにドア３上部に垂下するルーフ２の部分に複数の切込みが形成されており暖簾２ａになっている。このため、トイレ利用時にはトイレ利用者はドア３を開け立ったままの姿勢で頭を下げたり前傾姿勢となることなく移動式仮設トイレ１内にスムーズに入ることができる。よって、入室時の不具合を解消することができる。
なお、図１ではパネル１ｃが斜めに開く構造としたがパネル１ｃ全体が上下に伸縮する構造としてもよい。このような構造においてはよりコストがかかるものの移動式仮設トイレ１内の空間をより広くすることができる。
【００２５】
次に、移動式仮設トイレ１内部に収容された簡易トイレについて簡単に説明する。
図２は簡易トイレを収容した本発明の実施の形態に係る移動式仮設トイレの概念図である。図２において、図１に記載されたものと同一部分については同一符号を付し、その構成についての説明は省略する。
【００２６】
図２に示すように、移動式仮設トイレ１内には簡易トイレ１３が収容されている。この簡易トイレ１３は一般に市販されているポンプ式簡易水洗トイレであり、便器２４、洗面台１９、換気口１５、排気管１６、照明器具１７、給水タンク１８、給水口２１及び汲取口２２等から構成されている。符号２３ａ〜２３ｃはマットスイッチであり、トイレを利用しているか否かを感知するものである。よって、トイレ利用者が移動式仮設トイレ１内に入室してマットスイッチ２３ａを踏むとセンサーがこれを感知して照明器具１７が点灯し、トイレ使用時にはマットスイッチ２３ｂ，２３ｃ上にトイレ使用者の体重が加えられることによって照明器具１７が点灯した状態を保っている。そして、トイレを使用した後にトイレ使用者がマットスイッチ２３ｂ，２３ｃから降りると所定時間後に照明器具１７が消灯する仕組みになっている。照明器具１７に利用されるエネルギーはパネル１ｃ上に設けられた太陽電池によって蓄えられている。符号２０は便器２４内に水を流す操作を行うペダルである。また、符号１４はダンパーであり、前述した伸縮機構に相当するものである。このダンパーはガスダンパーであってもバネダンパーであってもよく、また、パネル１ｃ全体が上下に伸縮する構造とする場合にはこのダンパー１４をＸ字状に２本組合せるとよい。
【００２７】
図３は図１のＡ−Ａ線矢視断面図である。図３において、図１及び図２に記載されたものと同一部分については同一符号を付し、その構成についての説明は省略する。
図２中では図示しなかったが、簡易トイレ１３内には図２で説明したもの以外にペーパーホルダー２５が具備されている。また、移動式仮設トイレ１は図３に示すように前面部のパネル１ｂにドア３が設けられ、上面部であるパネル１ｃ（図示せず）が開閉可能であるパネル１ａ〜１ｅによって構成されるボックスの中にユニット式の簡易トイレ１３を収容したものである。この簡易トイレ１３はユニットタイプであるため、それ自体が壁１３ａによって囲まれる構成となっているため、ドア３の部分以外は２重構造となっている。
このパネル１ａ〜１ｅによって構成されるボックスをトラック１１の荷台に固定することによって、市販の壁付のユニット型の簡易トイレ１３をトラック１１の荷台上のボックスに収容して載置固定するため、簡易トイレ１３を直接固定する必要がない。簡易トイレ１３の交換は、ボックスをトラック１１の荷台から取外すことによって容易に行うことができる。
このような構造においては簡易トイレ１３を使用者の希望や用途に応じたタイプの簡易トイレ、化粧室やシャワー室等に取り替えることができるとともに、移動式仮設トイレ１が不要な場合には容易に取外して普通のトラック１１として使用することができる。これにより、移動式仮設トイレの運搬車を改造する必要がないため、移動式仮設トイレの製造コストを削減することも可能である。
【００２８】
なお、図３では簡易トイレ１３とパネル１ａ〜１ｅからなるボックスとが別個である構造としたが一体構造としてもよい。一体とした場合にはボックスと簡易トイレ１３を１つずつ別個に取外す手間や時間を省くことができ、移動式仮設トイレ１の積み上げ及び積み下ろし作業にかかる時間を短縮することができる。
【００２９】
図４は図１中符号Ｂで示される方向への矢視図である。図４において、図１乃至図３に記載されたものと同一部分については同一符号を付し、その構成についての説明は省略する。
図４に示す換気口１５、排気管１６は図２中に示した換気口１５及び排気管１６と同様のものであり、これらによって簡易トイレ１３内の排気と換気が行われている。また、符号２６は太陽電池であり、図２中簡易トイレ１３内に取付けられている照明器具１７の点灯は太陽電池２６に蓄えられた太陽エネルギーを利用したものである。
【００３０】
ここで、図５乃至図７を用いて移動式仮設トイレ１の使用方法について説明する。
【００３１】
図５は図１中符号Ｃで示される方向への矢視図である。図５において、図１乃至図４に記載されたものと同一部分については同一符号を付し、その構成についての説明は省略する。
図５は簡易トイレ１３を使用している状態の移動式仮設トイレ１をトラック１１の後部から見た状態を示すものである。簡易トイレ１３不使用時の移動式仮設トイレ１の状態については図７で説明する。
移動式仮設トイレ１を使用する場合にはまずトラック１１を工事現場等の適当な位置に停車させてトラック１１の荷台の後部を開き、荷台に昇降できるように踏み台等を設置する。そして、レバー７を上方へ押し上げてフック６をフック係止部材８から解除する。すると、ダンパー１４の伸縮機構によってパネル１ｃが上方へと持ち上げられ移動式仮設トイレ１の高さが高くなる。パネル１ｃはロープ１０が伸びきる位置まで開き、その開度は伸縮機構による付勢とロープ１０による抑制のバランスを保ちながら固定される。これが図５に示す状態である。前述したとおりこのような状態においては楽な姿勢で移動式仮設トイレ１内の簡易トイレ１３を使用することができる。
【００３２】
また、図６は図５においてドアを開けた状態を示す概念図である。図６において、図１乃至図５に記載されたものと同一部分については同一符号を付し、その構成についての説明は省略する。
図６に示すように移動式仮設トイレ１を使用する状態でドア３を開くとドア３上部に相当するルーフ２部分が暖簾２ａになっている。通常、パネル１ｂの高さは運搬車の高さの規制によりトイレ利用者の身長よりも低く設けられているため、特許文献２や特許文献３の発明のようにドア３の上部に鴨居が設けられている場合やルーフ２がドア３上部まで覆っている形状の場合には移動式仮設トイレ１内にトイレ利用者が入室する際に利用者の頭等に対してルーフ２が障害となるという不具合が生じる。
しかしながら、図６に示すようにルーフ２の一部に複数の切込みを入れて暖簾２ａとすることでトイレ利用者は鴨居等に頭を当てることなくスムーズに移動式仮設トイレ１内に入ることができる。また、暖簾２ａはドア３上部に当接する形状よりも長くドア３の開口部の一部を覆うように設けられているため、ドア３を閉めている状態であれば降雨時でも風で暖簾２ａが捲り上げられることはなく雨の降り込みを最小限にとどめることができる。
また、ルーフ２全体としても全開時に第１の框部分よりも長く形成させて、パネル１ａ〜１ｅで構成されるボックスと、そのボックス内に収容される簡易トイレ１３自体の壁１３ａ（図３に図示）の間隙に垂下させることによってトイレの全周に亘って雨の降り込みを抑制することもできる。また、簡易トイレ１３の壁１３ａとパネル１ａ〜１ｅを一体に設ける場合には外側に垂下させることによって雨の降り込みを防止するとよい。なお、ルーフ２の下端は第１の框に固定して完全に蛇腹状にしてもよい。
【００３３】
図７は本発明の実施の形態に係る移動式仮設トイレの上面部を閉じた状態を示す概念図である。図７において、図１乃至図６に記載されたものと同一の部分については同一の符号を付し、その構成についての説明は省略する。
トラック１１を適当な場所に停車して移動式仮設トイレ１内の簡易トイレ１３を利用する場合には図１及び図２、図４乃至図６に示すようにパネル１ｃを開いた状態にしておいたが、トラック１１で移動式仮設トイレ１を他の場所へ移動させる場合には図７に示すように移動式仮設トイレ１のパネル１ｃを閉じた状態にする。これはトラック１１走行時に受ける風圧を極力抑えるという目的と走行中の高さ規制を守るという目的によるものである。移動式仮設トイレ１を図７に示す状態にするにはまずロープ１０を手繰り寄せルーフ２を圧縮しながらパネル１ｃをパネル１ｂ等の上部からなる第１の框と符合させる。そして、この状態でレバー７を下方へ引っ張ってフック６をフック係止部材８に係止させる。最後に、トラック１１の荷台の後部を起こす。これが図７に示す状態である。移動式仮設トイレ１運搬時に図７に示すような形態にすることによっては、安全な状態で移動式仮設トイレ１を運搬することができるという効果がある。
【産業上の利用可能性】
【００３４】
工事現場、建設現場、イベント会場や屋外レジャー施設等の屋外で利用者が不具合を生じることなく使用できるとともに、運搬の際には運搬車の規制高さを保持して運搬するのにも適用できる。
【図面の簡単な説明】
【００３５】
【図１】本発明の実施の形態に係る移動式仮設トイレの概念図である。
【図２】簡易トイレを収容した本発明の実施の形態に係る移動式仮設トイレの概念図である。
【図３】図１のＡ−Ａ線矢視断面図である。
【図４】図１中符号Ｂで示される方向への矢視図である。
【図５】図１中符号Ｃで示される方向への矢視図である。
【図６】図５においてドアを開けた状態を示す概念図である。
【図７】本発明の実施の形態に係る移動式仮設トイレの上面部を閉じた状態を示す概念図である。
【図８】（ａ）は従来技術に係るトイレットカーの概念図であり、（ｂ）は従来技術に係る現場サポートカーの概念図である。
【符号の説明】
【００３６】
１…移動式仮設トイレ  １ａ〜１ｅ…パネル  ２…ルーフ  ２ａ…暖簾  ３…ドア  ４ａ，４ｂ…つまみナット  ５ａ，５ｂ…Ｌ字型金具  ６…フック  ７…レバー  ８…フック係止部材  ９ａ，９ｂ…ロープ係止部材  １０…ロープ  １１…トラック  １２ａ，１２ｂ…ボルト  １３…簡易トイレ  １３ａ…壁  １４…ダンパー  １５…換気口  １６…排気管  １７…照明器具  １８…給水タンク  １９…洗面台  ２０…ペダル  ２１…給水口  ２２…汲取口  ２３ａ〜２３ｃ…マットスイッチ  ２４…便器  ２５…ペーパーホルダー  ２６…太陽電池  ２７…軽貨物自動車  ２８…貨物室  ２９…固定屋根  ３０…逆Ｌ字形かまち  ３１…防水性幕布  ３２…昇降屋根  ３３…リンク機構  ３４…運転者室  ３５…鏡  ３６…カウンター  ３７…収納室  ３８…壁面  ３９…便器  ４０…手洗器  ４１…水洗配管  ４２…ハイタンク式給水タンク  ４３…換気扇  ４４…現場サポートカー  ４５…ポップアップルーフ部  ４６…把手  ４７…カバー  ４８…ロック金物  ４９…ガスダンパー  ５０…荷室部  ５０ａ…ルーフ部  ５０ｂ…側面部  ５０ｃ…背面部  ５１…扉  ５２…標示板収納部  ５３ａ，５３ｂ…工事用電光標示板  ５４ａ，５４ｂ…標示板単体  ５５ａ，５５ｂ…蝶番
【要約】
【課題】  運搬車からの積み上げ及び積み下ろし作業を行う必要がなく、運搬車走行中には規制高さを保持できトイレ利用時には利用者が不具合を生じることなく使用できる移動式仮設トイレを提供することである。
【解決手段】  左右側面部１ａ，１ｄと、背面部１ｅと、扉を備えた前面部１ｂと、上面部１ｃとから構成されるボックスとこのボックスの内部に設けられた便器と便槽とを有する移動式仮設トイレ１において、前面部１ｂは扉３の上部に鴨居が設けられておらず、前面部１ｂ上部と左右側面部１ａ，１ｄ上部と背面部１ｅ上部によって形成される第１の框とこの第１の框に対応して上面部１ｃによって形成される第２の框との間にこれらの框を架橋する伸縮機構を備え、第２の框から垂設され伸縮機構によって伸縮開閉する蛇腹状のルーフ部２を備え、このルーフ部２のうち扉３上部に垂下するルーフ部２ａは暖簾状に切込みが形成されているものである。
【選択図】  図１
【図１】
0003562811.tif 000002
【図２】
0003562811.tif 000003
【図３】
0003562811.tif 000004
【図４】
0003562811.tif 000005
【図５】
0003562811.tif 000006
【図６】
0003562811.tif 000007
【図７】
0003562811.tif 000008
【図８】
0003562811.tif 000009